Podtech/llm-jp-corpus-v4-ja_patent huggingface dataset:
(57)【要約】      （修正有）【課題】洋式便器に立ち小便を、便座や蓋を汚さずに、前方に向けてのびのびとできる小便補助器を提供する。【解決手段】便器の内幅より少し狭く高さ約６０ｃｍぐらいで、厚さ約１ｍｍ程度の板を雨樋様に縦長に湾曲にして、ガードプレートを形成し、ガードプレートの上端の少し手前に取手穴を設ける。ガードプレートの湾曲面の膨らんだ背中側の下部末端付近にベースを結合し、ベースは、約５ｃｍ程度の幅広コの字状の内湾面が、ガードプレートの背面にピッタリフィットし、ガードプレートの左右に数ｃｍ前に出っ張って抱きこむような形に形成する。小便補助器を非使用中に立て置いておく待機箱を設け、待機箱は、高さ約９ｃｍ程度で、幅・長さがベースより幾分小さい直方体の上面を開口した箱状に形成し、箱の内側は角や直角部をすべてＲ面に形成する。【選択図】図１
0003178506.tif 000002
【実用新案登録請求の範囲】
【請求項１】
便器の内幅より少し狭く高さ約６０ｃｍぐらいで、厚さ約１ｍｍ程度の板を雨樋様に縦長に湾曲にして、ガードプレートを形成し、ガードプレートの上端の少し手前に取手穴を設け、
ガードプレートの湾曲面の膨らんだ背中側の下部末端付近にベースを結合し、
ベースは、約５ｃｍ程度の幅広コの字状の内湾曲が、ガードプレートの背面にピッタリフィットし、ガードプレートの左右に数ｃｍ前に出っ張って抱きこむような形に形成し、
このガードプレートとベースを結合した小便補助器とは別個に、小便補助器を非使用中に立て置いておく待機箱を設け、
待機箱は、高さ約９ｃｍ程度で、幅・長さがベースより幾分小さい直方体の上面を開口した箱状に形成され、箱の内側は角や直角部をすべてＲ面に形成し、
このように各々形成した小便補助器と待機箱とをセットにして利用する洋式便器用小便補助器。
【考案の詳細な説明】
【技術分野】
【０００１】  本考案は、洋式便器に立ち小便する際の洋式便器用小便補助器に関するものである。
【背景技術】
【０００２】  従来、立ち小便は、前方に向けて自然にのびのびとしたものだが、洋式便器を利用するたびに、前方に向けて元気良く出るときは、手の指で上から押えるように下をめがけ、狙いさだめて放出している。
これは不自然な姿勢であった。
【考案の概要】
【考案が解決しようとする課題】
【０００３】  一般の家庭には、立ち小便専用の「小便器」がないので、そのため、洋式便器では、立ち小便が前方に向って元気良く出たとき便座やフタを汚していた。
立ち小便は、便器までの距離、落差が大きいため、今のままでは便器の周辺の床なども汚す可能性がある。
本考案は以上の問題点を解決するためになされたものである。
【課題を解決するための手段】
【０００４】  便器の内幅より少し狭く高さ約６０ｃｍぐらいで、厚さ約１ｍｍ程度の板を雨樋様に縦長に湾曲にして、ガードプレートを形成し、ガードプレートの上端の少し手前に取手穴を設ける。
ガードプレートの湾曲面の膨らんだ背中側の下部末端付近にベースを結合する。
ベースは、約５ｃｍ程度の幅広コの字状の内湾面が、ガードプレートの背面にピッタリフィットし、ガードプレートの左右に数センチ前に出っ張って抱きこむような形に形成する。
このガードプレートとベースを結合した小便補助器とは別個に、小便補助器を非使用中に立て置いておく待機箱を設ける。
待機箱は、高さ約９ｃｍ程度で、幅・長さがベースより幾分小さい直方体の上面を開口した箱状に形成し、箱の内側は、角や直角部をすべてＲ面に形成する。
このように各々形成した小便補助器と待機箱をセットにして利用する。
以上の構成よりなる洋式便器用小便補助器。
【考案の効果】
【０００５】  従来の洋式便器のままでは、立ち小便のとき便器までの距離、落差は約６０ｃｍぐらいだったが、本考案を使えば、雨樋様の窪んだ面の中域に放出された小便は、その面をつたわって流れ、下域の下端から落ちるので、便器までの距離、落差は７ｃｍぐらいになる。
本考案は、立ち小便を前方に向けて思いのまま、元気良く放出することができ、洋式便器や周辺の汚れを軽減する。
【図面の簡単な説明】
【０００６】
【図１】  本考案の斜視図である。
【図２】  本考案の使用状態を示した斜視図である。
【図３】  本考案の一部である待機箱の斜視図である。
【図４】  本考案の待機状態を示した斜視図である。
【本考案を実施するための形態】
【０００７】  以下、考案を実施するための形態を説明する。
便器の内幅より少し狭く高さ約６０ｃｍぐらいで、厚さ約１ｍｍ程度の板を雨樋様に縦長に湾曲にして、ガードプレート（１）を形成し、ガードプレート（１）の上端の少し手前に取手穴（４）を設ける。
ガードプレート（１）の湾曲面の膨らんだ背中側の下部末端付近にベース（５）を結合する。
ベース（５）は、約５ｃｍ程度の幅広コの字状の内湾曲が、ガードプレート（１）の背面にピッタリフィットし、ガードプレート（１）の左右に数ｃｍ前に出っ張って抱きこむような形に形成する。
このガードプレート（１）とベース（５）を結合した小便補助器（７）とは別個に、小便補助器（７）を非使用中に立て置いておく待機箱（６）を設ける。
待機箱（６）は、高さ約９ｃｍ程度で、幅・長さがベース（５）より幾分小さい直方体の上面を開口した箱状に形成され、箱の内側は角や直角部をすべてＲ面に形成する。
このように各々形成した小便補助器（７）と待機箱（６）をセットにして利用する。
本考案は以上のような構造である。
本考案を使用するときは、便座を上げたところの洋式便器の縁に、ガードプレート（１）の湾曲面の内湾面が前になるように置いて使う。
前方に向けて元気良く放出された立ち小便は、ガードプレート（１）の中域（２）あたりに当たるので、その面をつたわって下域（３）の下端から便器に落ちる。
そのため、距離、落差は小さくなる。
小便補助器（７）は、非使用のとき、取手穴（４）に指を入れて持ち、待機箱（６）に立てて置いておくようにする。
【符号の説明】
【０００８】  １  ガードプレート
２  中域
３  下域
４  取手穴
５  ベース
６  待機箱
７  小便補助器
【図１】
0003178506.tif 000003
【図２】
0003178506.tif 000004
【図３】
0003178506.tif 000005
【図４】
0003178506.tif 000006
(57)【要約】      （修正有）【課題】夜間の釣りでも、釣り用リールの場所や、釣り人の位置をわかり易くするために、化学発光及び電力発光による発光体を収納できる空間を設け、キャップ単体でも使用することができる釣用リールの装飾部品を提供する。【解決手段】中空軸貫通穴２の開いた中空軸１に化学発光及び電力発光による発光体４を収納できる空間を設ける。そして、中空軸１に雄ネジ溝、キャップ３に雌ネジ溝を設ける。【選択図】図２
0003178507.tif 000002
【実用新案登録請求の範囲】
【請求項１】
（イ）中空軸（１）に化学発光及び電力発光による発光体を収納できる空間を設ける。
（ロ）中空軸（１）に化学発光及び電力発光による発光体が外から見える中空軸貫通穴（２）を設ける。
以上の如く構成された、釣用リールの装飾部品。
【請求項２】
中空軸（１）と雌ネジ溝を設けたキャップ（３）の取り外しができる請求項１の釣用リールの装飾部品。
【考案の詳細な説明】
【考案の詳細な説明】
この考案は、化学発光及び電力発光による発光体を収納する空間を設けた釣用リールの装飾部品であり、キャップ（３）単体としても使用できるものである。
従来の釣用リールの装飾部品は、化学発光及び電力発光による発光体を収納できる空間はなく、軸とキャップの取り外しもできなかった。
本案は、化学発光及び電力発光による発光体を中空軸（１）に挿入し釣用リールに装着することで夜間の釣りでは、釣用リールの場所や、釣り人の位置をわかりやすくする為のものである。
なお、中空軸（１）をキャップ（３）から取り外すことでキャップ（３）単体として釣用リール内部への水の進入を防ぐキャップとして使用できる。
【図面の簡単な説明】
【図１】本案の正面図
【図２】本案に化学発光及び電力発光による発光体を収納した斜視図
【図３】本案の断面図
【符号の説明】１は中空軸、２は中空軸貫通穴、３はキャップ、４は化学発光及び電力発光による発光体
【図１】
0003178507.tif 000003
【図２】
0003178507.tif 000004
【図３】
0003178507.tif 000005
(57)【要約】      （修正有）【課題】人体から放射している遠赤外線波長と共振作用を起こす外部放射の遠赤外線を放射させることにより、身体の皮膚下深部まで深達効果をもたらし、患部にガン細胞を死滅させる温度４２．５℃を放射させる温熱治療器を提供する。【解決手段】遠赤外線放射体は、ａのチャック付き外皮の中に固定される。この局所温熱治療器は胸部から腹部周辺に巻き付け固定しての治療器具である。固定方法は４のベルト止めを通した５の収縮ベルトで調節固定する。温度の調節は治療器Ａの先端から電源コード３の延長線の中間に温度調節コントローラーが取り付けてあり、先端のプラグ１を電源口に差し込み作動させる。さらに、胸部、腹部全面に巻き付け放射する局所温熱治療器Ａと、肛門箇所よりＢの座布団式局所温熱治療器を同時に操作させ、内蔵全面に治療する組み合わせ式局所温熱治療器としても良い。【選択図】図１
0003178504.tif 000002
【実用新案登録請求の範囲】
【請求項１】
略長方形状のチャック付き外皮の中に可撓性を有する遠赤外線放射体を挿入してなる胸部から腹部周辺に巻き付け固定する腹部局所温熱治療器。
【請求項２】
座布団に上記遠赤外線放射体を内設した肛門部局所温熱治療器。
【請求項３】
長方形の箱の底部に請求項２に記載の肛門部局所温熱治療器を敷設し、その上から請求項１に記載の腹部局所温熱治療器を円筒型にしたものを差し入れ固定したふくらはぎ局所温熱治療器。
【考案の詳細な説明】
【技術分野】
【０００１】    本考案の遠赤外線放射体から放射する光線波長は、人体から放射している全エネルギーの４５％が８〜１０μｍの波長であり同一である。
この遠赤外線波長と共振作用を起こす外部放射の遠赤外線を放射させることにより、身体の皮膚下深部まで深達効果をもたらし、患部に４２．５℃のガン細胞を死滅させる温度を放射させる温熱治療技術に関する。
【背景技術】
【０００２】    近時、カーボン発熱体を熱源とし、身体全表面に沿うようような凸面鏡のドームに内設した遠赤外線放射全身温熱器、又はセラミック板に透過させ遠赤外線放射体として、局部治療又は全身温熱治療の装置は普及している。
【考案の開示】
【考案が解決しようとする課題】
【０００３】    しかし、上記凸型鏡のドームに内設した遠赤外線放射全身温熱器は、強制的に発汗をうながすものであるから人体に与えるショックは大きい。それに比べ人体内部に吸収されて汗線の他に皮脂線も活動させ熱に変換する遠赤外線効果で新陳代謝をもたらす局所温熱治療器が理想的であり、その効果を発揮するには可撓性カーボン発熱体が不可欠である。
【課題を解決するための手段】
【０００４】    本考案の可撓性カーボン発熱体は折り曲げが自由な事が有利であり、胸部から腹部にかけて胴部全体にまきつける構造の治療が可能となる。
ガンが転移する部位も内蔵が多い。その上、遠赤外線熱による血行促進と細胞強化は勿論のこと、ガンの痛みを緩和する効果が大きく、抗ガン剤の影響が少ないため患者は食欲をもたらし体力を回復させる。
【考案の効果】
【０００５】    本考案の局所温熱治療器は、胸部、腹部全面を巻き付ける腹部局所治療器と座布団に遠赤外線放射体を内設した肛門部局所温熱治療器と、更に、箱型内部底辺に座布団ヒーターを設け、腹部局所温熱治療器を円筒状に巻き、その中にふくらはぎを挿入しふくらはぎ温熱治療器とする組立式局所温熱治療器にした事である。
【考案を実施するための最良の形態】
【０００６】    病気にならない体質、病気を治す手段として、血液の循環により細胞を強化することである。毛細血管が多い箇所は足の「ふくらはぎ」と肛門周辺の毛細血管に熱を加えると全身の血行が良くなる。ゆわゆる病気の壷である。
ガン治療に温熱治療が採用され、この数年熱治療でガンが治った凡例は多くある。
【実施例１】
【０００７】    例えば図１は、局所温熱治療器Ａの正面図である。遠赤外線放射体は、ａのチャック付き外皮の中に固定される。この局所温熱治療器は胸部から腹部周辺に巻き付け固定しての治療器具である。固定方法は４のベルト止めを通した５の収縮ベルトで調節固定する。温度の調節は治療器Ａの先端から電源コード３の延長線の中間に温度調節コントローラーが取り付けてあり、先端のプラグ１を電源口に差し込み作動させる。【０００８】    例えば図４は、胸部、腹部全面に巻き付け放射する局所温熱治療器Ａと、肛門箇所よりＢの座布団式局所温熱治療器を同時に操作させ、内蔵全面に治療する組み合わせ式局所温熱治療器である。【０００９】    例えば図５は、上蓋のない長方形の箱の底辺にＢの座布団式局所温熱器を敷設する。プラグ１又はコード３は底辺の穴から取り出し電源差し込み口にとりつける。
更に、箱の上穴からＡの局所温熱治療器を円筒型にし差し入れ固定する。
患者はＡ又はＢに電気を入れた後、「両ふくらはぎ」をＡの空間に差し入れて足裏又はふくらはぎを保温治療する。
【産業上の利用可能性】
【００１０】    近年２００２年頃からガンの治療法として温熱療法は採用されています。
神経痛、筋肉痛、胃腸等の病気は勿論のこと、低温体質の方には最適です。
【図面の簡単な説明】
【００１１】
【図１】局所温熱治療器の正面図である。
【図２】局所温熱治療器の側面図である。
【図３】座布団式温熱治療器の斜面図である。
【図４】局所温熱治療器Ａ、Ｂの併用図である。
【図５】足裏及び「ふくらはぎ」の温熱治療側面図である。
【符号の説明】
【００１２】    Ａ…胸部、腹部周辺の局所温熱治療器
Ｂ…座布団式局所温熱治療器
Ｃ…上蓋なし治療箱
ａ…チャック付き局所温熱治療器の外皮
１…プラグ
２…コントローラ
３…電源コード
４…ベルト止め
５…固定ベルト
【図１】
0003178504.tif 000003
【図２】
0003178504.tif 000004
【図３】
0003178504.tif 000005
【図４】
0003178504.tif 000006
【図５】
0003178504.tif 000007
(57)【要約】      （修正有）【課題】肩ベルトに、携帯電話、スマートフォン、携帯音楽端末など主に携帯端末を収納し閉じる事の出来るリュックサックを提供する。【解決手段】リュックサックの肩ベルト２及び３に、チャックやボタンなどで閉じる事の出来るようにしたポケット４及び５を形成する。【選択図】図１
0003178512.tif 000002
【実用新案登録請求の範囲】
【請求項１】
肩ベルトにポケットを形成したリュックサック。
【考案の詳細な説明】
【技術分野】
【０００１】  本考案は、肩ベルトにポケットを形成し、そのポケットに携帯電話、スマートフォン、ＩＰＯＤやウォークマン等主に携帯端末を収納するリュックサックに関するものである。
【背景技術】
【０００２】  近年、携帯電話やスマートフォン、携帯音楽端末（ＩＰＯＤやウォークマン等）など携帯端末を持ち歩く人が増え、その人たちが上着のポケット（含む内ポケット）やバッグに入れて持ち歩く事が増えた。又最近リュックサックを背負っている人が増えている。
【考案の概要】
【考案が解決しようとする課題】
【０００３】  夏場など暑くなると薄着になる為、携帯端末等を入れるポケットが少なくなり、又Ｔシャツなどは最初からポケットが無い。夏物のシャツのポケットは深さが浅い物が多く、携帯端末を入れても不安定な場合があり、下を向いた時に携帯端末等が落下する事がある。携帯端末は精密機器の為、落下により大きなダメージを受ける。その為ハンドバッグやショルダーバッグ等バッグに入れて持ち歩く人が多くなる。普段からバッグを使っている人は入れるものが増えて不便になる。
【課題を解決するための手段】
【０００４】  本考案はリュックサックの肩ベルトに、主に携帯端末を収納するチャックやボタン、マジックテープなどで閉じる事の出来るポケットを形成する事により問題を解決している。
【考案の効果】
【０００５】  リュックサックの肩ベルトに主に携帯端末等を収納し閉じる事が出来るポケットを取り付けると、下を向いても携帯端末が落下する事が無く且つ両手が使える為携帯端末のポケットからの出し入れが容易で更にリュックサックのバッグ部は携帯端末を入れないので普段と同じように物入れとして利用することが出来る。
【図面の簡単な説明】
【０００６】
【図１】本考案のショルダーバッグ裏面図の一例。
【図２】図１の側面図
【考案を実施するための形態】
【０００７】  リュックサックの肩ベルトにチャックやボタン、マジックテープ等により閉じる事が出来るポケットを形成し、主に携帯端末等が飛び出すこと無く安全に収納出来るようにすると共に、両手が使える為出し入れが楽になる。
【実施例】
【０００８】以下添付図面に従って一実施例を説明する。１はリュックサックのバッグ部分である。２及び３はバッグをかつぐ肩ベルトである。肩ベルトの先端部にチャックにより開閉できるポケット４及び５を縫合して形成する。
【符号の説明】
【０００９】１  リュックサックのバッグ部
２  右側肩ベルト
３  左側肩ベルト
４  右側肩ベルトのポケット
５  左側肩ベルトのポケット
【図１】
0003178512.tif 000003
【図２】
0003178512.tif 000004
(57)【要約】      （修正有）【課題】成型サンダルを安全面で貢献できるようにサンダルに太陽光を蓄積し夜間に光を放つように構成したサンダルを提供する。【解決手段】蓄光材料を塩ビ樹脂に混入してペレット状態にする。ペレット状態にした樹脂を射出成型機で約１７０度の温度で成型してサンダルに仕上げる。蓄光材料入樹脂の内訳は以下のとおりとする。ポリ塩化ビニール樹脂５５パーセント、可塑剤（フタル酸ビス）２エチルヘキシル３９パーセント、エボシキ化大豆油３パーセント、バリュウム系安定剤１パーセント、蓄光色２パーセント。【選択図】図１
0003178515.tif 000002
【実用新案登録請求の範囲】
【請求項１】
太陽の光を蓄光樹脂入り材料で製造した成型サンダルに蓄積し，蓄積した光を夜間に放つサンダル
【考案の詳細な説明】
【技術分野】
【０００１】本発明は，太陽の光を蓄積し夜間に光を放出するサンダル
【背景技術】
【０００２】従来夜間にサンダル全体に光を放つ成型サンダルがなく，蓄光材料を塩ビ樹脂に混入してペレット状態にする。ペレット状態にした樹脂を射出成型機で約１７０度の温度で成型して意匠登録第１４０７７４３号のサンダルに仕上げる。【０００３】蓄光材料入り樹脂  内訳明細を説明する
ポリ塩化ビニール樹脂                        ５５パーセント
可塑剤（フタル酸ビス）２エチルヘキシル      ３９パーセント
エボシキ化大豆油                              ３パーセント
バリュウム系安定剤                            １パーセント
蓄光色                              ２パーセント  の合計１００パーセントである。
以上合計１００パーセントである
【先行技術文献】
【特許文献】
【０００４】
【特許文献１】  特開平１０−４６２２０
【考案の概要】
【考案が解決しようとする課題】
【０００５】  従来の成型サンダルは，サンダルとしての用途を果たしているが，安全面に貢献できるように光を放つ事が出来ればという点を課題とした。
【課題を解決するための手段】
【０００６】そして，課題を達成するために蓄光材料入り塩ビ樹脂でサンダルを成型することで太陽の光を蓄積し夜間に光を放つことが出来た。
【考案の効果】
【０００７】本発明の蓄光樹脂入りサンダルは既に一般市民の方々や，海上自衛隊にも履いていただいておりサンダルを置いた箇所が特定できる点，サンダルを履いて歩くと人が移動している位置が判るので，夜間外出の安全面に貢献している様子である。
【産業上の利用可能性】
【０００８】用途は広く夜の自衛隊の活動，夜間の外出等，サンダルの位置が確認できるので多方面にわたり安全面に貢献できると考える。
【図１】
0003178515.tif 000003
【手続補正書】
【提出日】平成24年8月9日(2012.8.9)
【手続補正２】
【補正対象書類名】明細書
【補正対象項目名】全文
【補正方法】変更
【補正の内容】
【考案の詳細な説明】
【技術分野】
【０００１】
本発明は，太陽の光を蓄積し夜間に光を放出するサンダル
【背景技術】
【０００２】
従来夜間にサンダル全体に光を放つ成型サンダルがなく，蓄光材料を塩ビ樹脂に混入してペレット状態にする。ペレット状態にした樹脂を射出成型機で約１７０度の温度で成型して意匠登録第１４０７７４３号のサンダルに仕上げる。
【０００３】
蓄光材料入り樹脂  内訳明細を説明する
ポリ塩化ビニ−ル樹脂                      ５５パ−セント
可塑剤（フタル酸ビス）２エチルへキシル    ３９パ−セント
エボシキ化大豆油                            ３パ−セント
バリュウム系安定剤                          １パ−セント
蓄光色                    ２パ−セントの合計１００パ−セントである。
以上合計１００パ−セントである。
【先行技術文献】
【特許文献】
【０００４】
【特許文献１】特開平１０-４６２２０
【考案の概要】
【考案が解決しようとする課題】
【０００５】
従来の成型サンダルは，サンダルとしての用途を果たしているが，安全面に貢献できるように光を放つ事が出来ればという点を課題とした。
【課題を解決するための手段】
【０００６】
そして，課題を達成するために蓄光材料入り塩ビ樹脂でサンダルを成型することで太陽の光を蓄積し夜間に光を放つことが出来た。
【考案の効果】
【０００７】
本発明の蓄光樹脂入りサンダルは既に一般市民の方々や，海上自衛隊にも履いていただいており，サンダルを置いた箇所が特定できる点，サンダルを履いて歩くと人が移動している位置が判るので，夜間外出の安全面に貢献している様子である。
【産業上の利用可能性】
【０００８】
用途は広く夜の自衛隊の活動，夜間の外出等，サンダルの位置が確認できるので多方面にわたり安全面に貢献できると考える。
【図面の簡単な説明】
【０００９】
【図１】考案の全体図の写真である。
(57)【要約】      （修正有）【課題】外壁塗装工事の際、塗料の飛散防止のため開口部を含め窓をビニールシートで覆う、換気に適した養生シートを提供する。【解決手段】窓５その他開口部のビニールシート４で覆われている箇所にビニール枠３でポリエステルフィラメント糸もしくはポリエチレン素材の糸を使用したメッシュ素材２の養生シート１を取り付け６、窓を開けて建物内の換気を容易に出来るようにした。【選択図】図２
0003178511.tif 000002
【実用新案登録請求の範囲】
【請求項１】
外壁塗装工事における、ビニール枠でポリエステルフィラメント糸を使用したメッシュ素材の開口部養生シート。
【請求項２】
外壁塗装工事における、ビニール枠でポリエチレン素材の糸を使用したメッシュ素材の開口部養生シート。
【考案の詳細な説明】
【技術分野】
【０００１】  本考案は、建物の外壁塗装工事を行う際にビニールシートで覆われた窓やその他開口部等にあたる箇所に、ビニール枠でメッシュ素材の養生シートを取り付けることで、建物の窓を開け塗装工事建物内の換気を容易にするものである。
【背景技術】
【０００２】  従来は、外壁塗装工事の際に換気を目的とした安価で取り付け・取り外しが容易なビニール枠でメッシュ素材の開口部用養生シートは無かった。
【先行技術文献】
【特許文献】
【０００３】
【特許文献１】登録実用新案第３１６９６６７号
【考案の概要】
【考案が解決しようとしている課題】
【０００４】  ▲１▼外壁塗装工事を行う際は窓等をビニールシートで覆ってしまうため、窓を開けても建物内部の換気ができず、建物の居住者や作業者からも苦情が来ていた。
▲２▼換気が不十分と感じた居住者が覆っているビニールシートをくり貫いて換気しようとすることもあり、くり貫いた部分のビニールシートを何度も張り直す作業が発生し、余分な時間や経費が掛かっていた。
▲３▼上記特許文献１ではポリエチレンフィルムを使用しているが、本考案品はポリエステルフィラメント糸、もしくはポリエチレン素材の糸でメッシュ素材にしており、作業性も考慮したビニール枠を含めたものである。
【課題を解決するための手段】
【０００５】  ▲１▼養生シートの枠内１メッシュ部分にポリエステルフィラメント糸もしくはポリエチレン素材の糸を使用することで、網戸のような感覚で室内の換気が出来るようにした。また、メッシュ素材の色を黒や白にすることにより、考案した養生シートを通して見る外観も鮮明になる。
▲２▼枠２部分をビニール生地にしたため、覆っているビニールシートとの接着をガムテープ等で簡単に出来るようにし、取り付け・取り外しの作業を容易にした。また、防災加工を施した素材を使用することで公共の特殊建物にも適している。
【考案の効果】
【０００６】  外壁塗装工事中の換気が出来るようになり、居住者だけでなく作業者の健康面も保つことができる。居住者が確保したい開口部に取り付けることが出来るので、居住者によるくり貫きを補正する無駄な作業も無くすことが出来る。本考案品は取り付け・取り外しという作業性も重視し、工程にも良い影響を与えることは間違いない。また本考案品は使い捨てではなく再度使用可能で、安価なため多くの作業現場で使用可能である。
【図面の簡単な説明】
【０００７】
【図１】  考案した養生シートの平面図である。
【図２】  考案した養生シートの使用状況を示す平図面である。
【符号の説明】
【０００８】  １  養生シート
２  枠内のメッシュ部分
３  ビニール枠部分
４  窓を覆っているビニールシート
５  窓
６  ビニール枠とビニールシートの接着部分
【図１】
0003178511.tif 000003
【図２】
0003178511.tif 000004
(57)【要約】      （修正有）【課題】使用後の濡れた状態の傘を収納する収納袋の内側に、漏水を軽減する防水性のある内袋を装着することで、生地の縫い目部分や生地自体からの漏水軽減を図った傘収納袋を提供する。【解決手段】傘収納袋は、外袋１と外袋に付けた内袋２と開口部を閉じるための紐４からなる。外袋１の上部には紐を付けるための紐通し部３を設けている。外袋の紐通し部３の下部である紐通し部下部３に内袋を縫い付けている。紐４は、紐通し部３を通して引っ張って締め付けて開口部をしばる。【選択図】図１
0003178513.tif 000002
【実用新案登録請求の範囲】
【請求項１】
傘を入れ持ち運ぶための傘収納袋であって、傘収納袋の内側に、防水性のあるシートまたは生地を使った内袋を、取り付けたことを特徴とする傘収納袋。
【請求項２】
前記内袋は、溶着によって縫い目のない袋状に加工されたことを特徴とする請求項１記載の傘収納袋。
【考案の詳細な説明】
【技術分野】
【０００１】  本考案は使用後の濡れた傘を収納袋に入れたときに、収納袋からの漏水を軽減させる傘収納袋に関する。
【背景技術】
【０００２】  傘の収納袋は傘と同様の生地を使用し、筒型の形状の物が多く使用されている。しかし、使用後の濡れた傘を、傘と同様の生地からなる収納袋に入れ携帯すると、生地の耐水圧や防水性が不十分なため、生地または、生地の縫い目から水漏れし、カバンに入れた時に中の書類や物が濡れることがある。
【先行技術文献】
【特許文献】
【０００３】
【特許文献１】実用新案登録第３１５７４３２号公報
【考案の概要】
【考案が解決しようとする課題】
【０００４】  使用後の濡れた傘を、傘と同様の生地からなる収納袋に入れると、生地の縫い目部分や生地自体から漏水することがある。本考案は、収納袋からの漏水を軽減することを目的とする。
【課題を解決するための手段】
【０００５】  本考案の傘収納袋は、使用後の濡れた状態の傘を収納する収納袋の内側に、漏水を軽減する防水性のある内袋が装着されることを特徴とする。【０００６】  前記内袋は、溶着によって縫い目のない袋状に加工されたことを特徴とする傘収納袋。
【考案の効果】
【０００７】  本考案の傘収納袋は、布製の収納袋の内側に防水性のあるフィルム素材を袋状に溶着した内袋を装着し、上部のみで縫い付けることにより袋の下部に縫い目のない、使用後の傘を収納した時に起こる縫い目部分からの漏水が起こらない防水性の高い収納袋になる。
【図面の簡単な説明】
【０００８】
【図１】本考案の傘収納袋の構成（断面図）
【図２】本考案の外観図（開口した状態）
【考案を実施するための形態】
【０００９】  図１は本考案の傘収納袋の構成を示す。
本考案の傘収納袋は、外袋１と外袋に付けた内袋２と開口部を閉じるための紐４からなる。外袋１の上部には紐を付けるための紐通し部３を設けている。外袋の紐通し部３の下部である紐通し部下部３ａに内袋を縫い付けている。紐４は、紐通し部３を通して引っ張って締め付けて開口部をしばる。
【００１０】  図２は本考案の外観図である。紐通し部下部３ａに内袋が縫い付けられている。傘は、図２の開口部より入れる。傘を入れた時に雨水５が傘より落ちるが防水性のある内袋の下部に溜まり、外に漏れることはない。紐通し部を付ける以外に開口部に面ファスナーを付けることによって逆さにしても雨水が漏れにくくなり、より防水性を高めることができる。
【産業上の利用可能性】
【００１１】  漏水することのない傘収納袋を提供する。
【符号の説明】
【００１２】  Ａ    傘収納袋
Ｂ    傘
１    外袋
２    内袋
３    紐通し部
３ａ  紐通し部下部
４    紐
５    雨水
【図１】
0003178513.tif 000003
【図２】
0003178513.tif 000004
(57)【要約】      （修正有）【課題】雨降りの日に傘をさして歩き、濡れた傘が周囲の人に触れて迷惑をかけてきた。他人の濡れた傘も又、自分の身体に触れて不快な気持ちになりお互いに嫌な感じを与えてきたが、それを防止するため濡れた傘を入れる傘袋を提供する。【解決手段】薄い防水布を使用した傘入れ袋で、先端部分の内部に雨水が溜められる柔らかい素材の合成樹脂を内蔵させ、更にその末端には水抜き用のキヤップ６を設け、雨で濡れた傘を入れる箇所４から入れて保管するが、普段は必要に供えて小さく折りたたんで外出の際は携帯して持ち歩くことを特徴とする。【選択図】図２
0003178327.tif 000002
【実用新案登録請求の範囲】
【請求項１】
薄い防水布で製作した，濡れた傘を入れる傘袋本体（１）の先端部分の内部に雨水が溜められる柔らかい素材のゴム系容器（５）を内蔵させ，袋と完全密着させ，更にその末端には水抜き用のキヤップ（６）を設け，傘を入れる箇所（４）から傘を入れて保管するが，必要に供えて小さく折りたたんで外出の際は携帯して持ち歩くことを特徴とする濡れた傘を入れる傘袋。
【請求項２】
飾りの絵柄（３）の種類は花・小鳥・小動物・木の葉を使用して飾りとする請求項１記載の濡れた傘を入れる傘袋。
【考案の詳細な説明】
【技術分野】
【０００１】
この考案は，濡れた傘を人混みで持ち歩いて他人に迷惑をかけないように濡れたままの傘を傘袋にいれて歩くための傘袋に関する。
【背景技術】
【０００２】
従来，雨降りの日に濡れた傘を電車やバスなどの人混みの中に入って他人に迷惑をかけて来た。
他にも傘袋は提案されたものもある。（特許文献１，２参照）
【先行技術文献】
【特許文献】
【０００３】
【特許文献１】特開２０１０−２７３８８３号広報ＤＢ
【特許文献２】特開２００６−３４１８６５号広報ＤＢ
【考案の概要】
【考案が解決しようとする課題】
【０００４】
従来，雨降りの日に傘をさして歩き，そのまま満員電車，バス，電車のホーム等で大勢の人の中に入る時，濡れた傘が他人の身体に触れて迷惑をかけてきた。
他人の濡れた傘も又，自分の身体に触れていやな不快な気持ちになりお互いに嫌な気持ちを持ちながらも相手に小言をいうことも出来ず時が過ぎるのを待つしか解決の方法がなかった。
また従来の傘袋は細身で出来ていて、袋の先が開放されているため、」雨天時に使用した後の傘の先から、雨水が滴り落ちて、車内や店内、建物内の床を濡らすことが多かった。
【課題を解決するための手段】
【０００５】
課題を解決するため以下の構成とした。
図５に示す通り，防水布で製作した濡れた傘を入れる傘袋を小さく折りたたみホックでとめて梱包し，ハンドバックや手提げなどに入れて持ち歩き，急に雨が降ってきたら傘を使用して体を濡れないように守り，目的地に到着して傘をしぼめて持参して来た濡れた傘を入れる傘袋を取り出して濡れたまま傘を傘袋に入れる。
傘袋の先端の内部には，傘からたれた雨水が溜められる柔らかい素材の合成樹脂を内蔵（５）させてあるため雨水が床に落ちることはない。
これによって雨水で濡れた傘で周囲の人に迷惑のかからないようにした。
また、傘の先に雨水を溜める場所と雨水を抜く栓を設けた。
【考案の効果】
【０００６】
本考案は，下記の効果を有する。
（１）濡れた傘を入れる傘袋は，ハンカチ１枚程度の薄い生地であるためかさばらない。
（２）小さくたたんで，ハンドバックや手提げに入れて持ち歩くと邪魔にならず必要な時には直ぐ使用できる。
（３）傘についている雨水で周囲の人達に迷惑をかける事がなくなる。
（４）常に持参していれば，安心でありのびのびとした気分で毎日の活動ができる。
（５）雨水で車内、店内、建物内の床を濡らす心配がなくなった。
【図面の簡単な説明】
【０００７】
【図１】傘を入れた状態の斜視図
【図２】濡れた傘を入れる傘袋裏側
【図３】濡れた傘を入れる傘袋表側
【図４】濡れた傘を入れる傘袋裏側の傘を入れる箇所拡大説明図
【図５】折りたたんだ状態の濡れた傘を入れる傘袋
【図６】雨の雫を溜める容器
【考案を実施するための形態】
【０００８】
以下，本考案を実施するための最良の形態について説明する。
図５に示したように濡れた傘を入れる傘袋をたたんだ状態で，ハンドバックや手提げ等に入れて持ち歩き，傘を使用して雨に濡れたときには折りたたんだ袋を取り出して図４の（４）から濡れたまま傘を入れて、（２）を片手の指で押さえながら他方の手で（７）を傘側に絞り、傘袋を傘に固定する。
又，傘固定バンド（１０）を傘に密着させ，ホック凸部（１１）とホック凹部（１２）をあわせて固定して，傘と袋を固定すると同時に外部に花模様を見えるようにした。
雨の雫は、傘袋の先端にある容器に溜め、雨水が溜まったら（６）を捻って水を抜く。
【符号の説明】
【０００９】
（１）濡れた傘を入れる傘袋本体
（２）固定紐
（３）飾りの絵柄
（４）傘を入れる箇所
（５）雨水が溜められる柔らかい素材のゴム系容器
（６）雨水抜き取り用のキヤップ
（７）固定用金具
（８）紐止め
（９）傘の柄
（１０）傘固定バンド
（１１）ホック凸部
（１２）ホック凹部
【図１】
0003178327.tif 000003
【図２】
0003178327.tif 000004
【図３】
0003178327.tif 000005
【図４】
0003178327.tif 000006
【図５】
0003178327.tif 000007
【図６】
0003178327.tif 000008
(57)【要約】      （修正有）【課題】うちわの表面に動物や植物の型ほか任意の模様の型をくり抜いて、印刷模様を立体化することで今までになかった楽しいうちわを提供する。【解決手段】うちわ１構造は、骨２に紙４、または不織布などを張って任意の刃型で切り抜く３ほか、あらかじめ骨部分と紙部分を刃型で切り抜いたのちに貼り合わせても良い。【選択図】図１
0003178324.tif 000002
【実用新案登録請求の範囲】
【請求項１】
従来の握り取っ手の付いたうちわにおいて骨（２）と紙（４）を任意の型に切り抜いて穴をあけたことを特徴とする構造のうちわ。
【考案の詳細な説明】
【技術分野】
【０００１】  本考案は花や魚などの物体の型をくり抜いたうちわに関するものである。
【背景技術】
【０００２】  本考案は握り柄の付いた従来のうちわの面の任意場所に任意の形状の穴を抜き型で切り抜くことにより、その穴の形状を動物、花びら、小鳥、魚などの型にして楽しめたり、自動車、飛行機などの商品や製品の型抜きによってうちわに宣伝効果をもたらすものである。
【考案の概要】
【考案が解決しようとする課題】
【０００３】  従来円形の厚紙に親指をさしこんで使用する穴開きうちわは存在しているが、本考案は握り柄の付いたポリ骨うちわに紙を貼ったうちわにの面の任意の部分を骨と紙を任意の型に穴をくり抜くいて作るものである。
【課題を解決するための手段】
【０００４】  本考案のうちわ構造は、骨に紙、または不織布などを張って任意の刃型で切り抜くほか、あらかじめ骨部分と紙部分を刃型で切り抜いたのちに貼り合わせても良い。
【考案の効果】
【０００５】  魚のマークや自動車、飛行機など各種形状のデザイン型に沿ってくり抜いた模様は、それだけでその模様や商品を安易に連想させ、商品の宣伝効果を著しく高める。そのた当該うちわへの関心を高め、それらの需要増にも資するものである。
【考案を実施するための形態】
【０００６】  うちわの表面に、それぞれ目的の形状の抜き型を造っておいて穴を開けることとする。
なお、紙には当該穴の形状に連動した絵柄や模様の印刷をあらかじめ施しておくのも良い。さらにこれまでの平面図柄以上にうちわは穴を立体模様として連動・視認させるため宣伝効果を高めやすい。
【０００７】  本考案を実施するための穴開けはこの説明や手順に限定されるものではない。
つまり、骨のくり抜きと紙のくり抜きは別々の工程で実施されても良い。
【図面の簡単な説明】
【０００８】
【図１】（ａ）、（ｂ）はうちわの骨と骨に貼リ合せた紙を魚型に穴をくり抜いたうちわの表と裏の平面図である。
【符号の説明】
【０００９】１・・・・うちわ
２・・・・うちわの骨
３・・・・くり抜いた魚の型
４・・・・紙
【図１】
0003178324.tif 000003
(57)【要約】      （修正有）【課題】蜂さされに対する応急処置としての調剤セットを提供する。【解決手段】農業用の硫酸アンモニアを水で溶き、これに草木灰を加えると、水溶液中の硫酸が中和され結合されていたアンモニアが分離され放出され、このアンモニアの一部を草木灰中のカリュウムが結合してアンモニゥムカリとなり皮膚浸透する様になる、この液体を蜂に刺された時、早く塗布すれば、アンモニゥムカリが皮膚浸透して蟻酸を中和し、痛みは消え、腫れは起こらない。そこで、携帯用調剤皿２と、硫酸アンモニアカプセル５入りポリ容器３と、草木灰カプセル６入りポリ容器４をセットとした。【選択図】図１
0003178306.tif 000002
【実用新案登録請求の範囲】
【請求項１】
蜂刺されに対する応急処置としての調合剤
【考案の詳細な説明】
【技術分野】［１］本考案は農業用の「硫酸アンモニア」を水で溶き、これに「草木灰」を加えると、水溶液中の硫酸が中和され結合されていたアンモニアが分離され放出される、このアンモニアの一部を草木灰中のカリュウムが結合してアンモニゥムカリとなり皮膚浸透する様になる、この液体を蜂に刺された時、早く塗布すれば、アンモニゥムカリが皮膚浸透して蟻酸を中和し、痛みは消え、腫れは起こらない。
尚アレルギーも残らない。
【考案が解決しようとする課題】
【０００１】長男が小学生のとき学校で蜂に刺され、診療所へ行きアンモニア液を付けてもらったとのことであるが、痛みはなかなか消えず、塗ったところはヒブクレとなり、長いことアザのような状態だった。今の医学で治癒した場合もアレルギーが残り、次に蜂に刺されると、発作が起こったり、ひどい場合は死ぬ思いをすると言われている、これを何とか無くしたいと思っていた。
【０００２】解決の方法がないものかと考えた結果思い付いたのが、農業専門学校で学習した土壌肥料学で学んだ下肥に灰を入れるとアンモニアが逃げてしまうと言う先生の話を思い出した。そうだこれを応用すればきっと効果が出ると思い心に止めていた。
ある秋の日のこと、農家の稲作研究会が有り、夜の会合に出席した、暫く会が進んだ頃ズボンの中で動くものを感じ触った途端チクリ、蜂だと分かり、ズボンを脱いで処分をし、近くの農家の人にお願いして硫酸アンモニアを一つまみ持ってきてもらい、初めての実験をした、一つまみの硫酸アンモニアを少量の水で溶き、囲炉裏の灰を一つまみ加えて混ぜ合わせ、それを患部に塗布した、時間を見ていると約５分程で痛みがすっかり消え、腫れも起こらなかった。その後山作業等で何回か応用して喜ばれた。
【考案の効果】
［１］蟻酸を速攻で中和し痛みを消し、腫れも起こらないしアレルギーも残らない。
【図面の簡単な説明】
【符号の説明】［図１］調剤用原薬の荷姿
１、原薬入り外箱
２、携帯用調剤皿（ポリ製）
３、原薬１入りポリ容器
４、原薬２入りポリ容器
５、原薬１入りカプセル（原薬１は硫酸アンモニア）
６、原薬２入りカプセル（原薬２は草木灰）
［図２］調剤の方法
１、原薬１入りカプセル（原薬１は硫酸アンモニア）
２、原薬２入りカプセル（原薬２は草木灰）
３、水
４、携帯用調剤皿
５、調剤の順序    ▲１▼  ▲２▼  ▲３▼
【図１】
0003178306.tif 000003
【図２】
0003178306.tif 000004
【手続補正書】
【提出日】平成24年6月21日(2012.6.21)
【手続補正１】
【補正対象書類名】実用新案登録請求の範囲
【補正対象項目名】全文
【補正方法】変更
【補正の内容】
【実用新案登録請求の範囲】
【請求項１】
携帯用調剤皿と、硫酸アンモニアカプセル入りポリ容器と、草木灰カプセル入りポリ容器を外箱に入れたことを特徴とする、蜂刺され応急処置用調剤セット
【手続補正２】
【補正対象書類名】明細書
【補正対象項目名】全文
【補正方法】変更
【補正の内容】
【考案の詳細な説明】
【技術分野】
【０００１】本考案は農業用の「硫酸アンモニア」を水で溶き、これに「草木灰」を加えると、水溶液中の硫酸が中和され結合されていたアンモニアが分離され放出される、このアンモニアの一部を草木灰中のカリュウムが結合してアンモニゥムカリとなり皮膚浸透する様になる、この液体を蜂に刺された時、早く塗布すれば、アンモニゥムカリが皮膚浸透して蟻酸を中和し、痛みは消え、腫れは起こらない。
尚アレルギーも残らない。
【考案が解決しようとする課題】
【０００２】長男が小学生のとき学校で蜂に刺され、診療所へ行きアンモニア液を付けてもらったとのことであるが、痛みはなかなか消えず、塗ったところはヒブクレとなり、長いことアザのような状態だった。今の医学で治癒した場合もアレルギーが残り、次に蜂に刺されると、発作が起こったり、ひどい場合は死ぬ思いをすると言われている、これを何とか無くしたいと思た。
【０００３】解決の方法がないものかと考えた結果思い付いたのが、農業専門学校で学習した土壌肥料学で学んだ下肥に灰を入れるとアンモニアが逃げてしまうと言う先生の話を思い出した。そうだこれを応用すればきっと効果が出ると思い心に止めていた。
ある秋の日のこと、農家の稲作研究会が有り、夜の会合に出席した、暫く会が進んだ頃ズボンの中で動くものを感じ触った途端チクリ、蜂だと分かり、ズボンを脱いで処分をし、近くの農家の人にお願いして硫酸アンモニアを一つまみ持ってきてもらい、初めての実験をした、一つまみの硫酸アンモニアを少量の水で溶き、囲炉裏の灰を一つまみ加えて混ぜ合わせ、それを患部に塗布した、時間を見ていると約５分程で痛みがすっかり消え、腫れも起こらなかった。その後山作業等で何回か応用して喜ばれた。
【考案の効果】
【０００４】  蟻酸を速攻で中和し痛みを消し、腫れも起こらないしアレルギーも残らない。
【図面の簡単な説明】
【０００５】
【図１】  蜂さされ応急処置用調剤セット
【図２】  調剤の方法
【符号の説明】
【０００６】  図１の説明
１、原薬入り外箱
２、携帯用調剤皿（ポリ製）
３、硫酸アンモニアカプセル入りポリ容器
４、草木灰カプセル入りポリ容器
５、硫酸アンモニア入りカプセル
６、草木灰入りカプセル
図２の説明
１、硫酸アンモニア入りカプセル
２、草木灰入りカプセル
３、水
４、携帯用調剤皿
５、調剤の順序  ▲１▼  ▲３▼  ▲２▼
(57)【要約】      （修正有）【課題】砥石の使用面の磨滅による偏りをなくし常に砥石が平らであるようにするために、２個の砥石の磨滅状態を考慮し２個の砥石の組合せをかえて使用できる構造の砥石を提供する。【解決手段】一個の砥石を二分して二個の四角柱３、４とし、彫り込みのある一個の台５にしっかりと二個の四角柱の砥石を脱着可能に固定する。使用時には、あたかも従来の一個の砥石の如く使用し、使用による磨滅の状態を考慮して二個の砥石の組合せをかえることにより研磨による砥石の変化に対応する。【選択図】図２
0003178305.tif 000002
【実用新案登録請求の範囲】
【請求項１】
２個の砥石の組合せを変えることによって常に使用する砥石の面を平らにし、しっかりと砥石を固定できる掘り込みのある台に設置してあたかも１個の砥石のごとく使用できる使用中の研磨による変形に対応する砥石。
【考案の詳細な説明】
【技術分野】
【０００１】  本考案は、刃物等に刃をつける砥石に関するものである。
【背景技術】
【０００２】  古来より、砥石は存在し、刃物等の研磨に使用されてきたのであるが、使用中の研磨により、図１の１の砥石の様に変形し使用が困難となり、砥石の磨滅減少により使用が不可能となる最後まで使い切ることが出来ない。
【先行技術文献】
【特許文献】
【０００３】
【特許文献１】  特許公開平１１−２７７５２４号公報
【考案の概要】
【考案が解決しようとする課題】
【０００４】  砥石を刃物等の研磨に使用するに当たっては、砥石の使用面が平らでなければならないのであり、平らであることにより、刃物等を研ぎ、本来の目的である刃の切れ味を良くするのである。機械により砥石を平らにする装置はあるが費用や置場所などを考えると手軽には使用できない。
【課題を解決するための手段】
【０００５】  そこで、本考案は，以上の課題を解決する為に、従来１個であった砥石を等分である必要は無いが２分した四角柱を作り，使用に当たっては２個の四角柱の砥石を並べて置き、あたかも従来の１個の砥石のごとく使用するものである。【０００６】  砥石の使用面の磨滅による偏りをなくし常に砥石が平らであるようにするために、２個の砥石の磨滅状態を考慮し２個の砥石の組合せをかえて使用するのである。【０００７】  組合せを変えるには、２個の砥石の左右を入れかえたり、その場で砥石を１８０度回転させたり、表裏すなわち上下を入れかえたりして磨滅による偏りを防ぐのである。【０００８】  従来は砥石を台に接着して固定し使用していたのに対し、本考案にあっては２個の砥石をしっかりと組み合せ固定するために彫り込みのある台を使用し、砥石の出し入れを容易にするために切り込みをいれてある。【０００９】  此処で云う彫り込みのある台とは砥石をしっかりと固定する為に砥石の周りに図３の如く囲みのある台のことを云う。【００１０】  本考案は常に砥石を平らな状態で使用することができることを目的としたものであり万一２個の砥石の組合せの時期の遅れで２個の砥石に段差が出来たとしても刃物等に刃をつけるための砥石上での刃物等の手動による往復運動に支障をきたすは事はいない。【００１１】  なぜならば、刃物等に刃をつけるために砥石の段差に逆らって研ぐことはなく、使用中に磨滅によって段差は無くなるからである。
【図面の簡単な説明】
【００１２】
【図１】従来の砥石と台であり、使用により砥石の磨滅が示されている断面図である。
【図２】本考案に係る使用中の研磨による変形に対応する砥石の斜視図である。
【図３】本考案に係る使用中の研磨による変形に対応する砥石の断面図である。
【本考案を実施する形態】
【００１３】  従来は、１個であった砥石を２個にかえて使用するものであり製作は容易である。
【符号の説明】
【００１４】  １  砥石
２  台
３  砥石
４  砥石
５  砥石を固定する為の彫り込みのある台
６  切り込み
【図１】
0003178305.tif 000003
【図２】
0003178305.tif 000004
【図３】
0003178305.tif 000005
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
従来は刃物等を研ぐのに一個の砥石を一個の台に接着して使用していたのであるが、その砥石を二分して二個の四角柱とし、彫り込みのある一個の台にしっかりと二個の四角柱の砥石を脱着可能に固定して、使用時には、あたかも従来の一個の砥石の如く使用し、使用による磨滅の状態を考慮して二個の砥石の組合せをかえることにより研磨による砥石の変化に対応する砥石。
(57)【要約】      （修正有）【課題】農産物の獣害防止用の電気ネットを提供する。【解決】通電性の高いワイヤー、銅線を全周に通し、ワイヤー、銅線とネット内の（＋）線通電ラインと連結し、ワイヤーはネット上段に張る。【選択図】図１
0003178301.tif 000002
【実用新案登録請求の範囲】
【請求項１】
防獣害用エレキネット（電気ネット）の電気抵抗を大幅に抑えるため、ワイヤー（鋼線）を通し、全体を高電圧で安定させ、効果の高い電気ショックを維持する。
【請求項２】
ワイヤーにネットを吊るす構造でネットの垂るみがなく、見た目も良く簡単に降ろせるので、現場保管ができネットの劣化も抑えられる。
【考案の詳細な説明】
【技術分野】
【０００１】農産物獣害防止用を目的とした通電性のあるネット防護柵
【背景技術】
【０００２】近年、猿害が深刻化し、安価で作業性・耐久性そして効果の高い防護柵の要望が高まる。また、猿の出没する所は、タヌキ・イタチ・猪・鹿・その他の動物もおり、全ての動物に効果のある対策を考慮。【０００３】
【考案の概要】
【０００４】以前からネット内に電気を流す方法はあったが、電気抵抗が大きく電気ショックが低下し、効果がおもわしくない。また、構造的に張りっぱなしでネットの劣化・損傷も大きい。（果樹の場合特に被害期間が短い）
【考案が解決しようとする課題】
ネット内の電気抵抗を大幅に抑え、効果のある電圧を維持する。また、ネットの安易な回収方法を模索。
【課題を解決するための手段】
安定した電圧を維持させる為、上段にワイヤーまたは鋼線を１本通す。（バイパスの役割を果たし、電圧低下を最小限に押える）
【考案の効果】
電源装置近くでも最端地点でも効果の高い電圧を維持でき（３倍強）、またネットをワイヤーに吊ることにより、ネットを簡単に降ろせ、現場保管が可能になりネットの劣化も押えられる。（台風の直撃・積雪地帯にも有効）
【図面の簡単な説明】
【図１】図の様に上段にワイヤー（鋼線）を張り、リングフックでネットを吊るす。
【考案を実施するための形態】
支柱を立て、上部にリング碍子を取り付け、ワイヤーを通しネットをリングフックで吊るす。支柱とネットはパッカー等で密着させず、防風タイで空間（５ｃｍ程）を取り、止める。（支柱を登りずらくし、ネットが楽に降ろせる）
【実施例１】山口県／りんご園  ・宮崎大学農学部／柿園  他
【産業上の利用可能性】対象動物により、猿用（Ｈ＝２ｍ）・鹿用（Ｈ＝１．６ｍ）・猪／熊用（Ｈ＝１．２ｍ）と、３通りを作成。
【符号の説明】
0003178301.tif 000003
【手続補正書】
【提出日】平成24年5月18日(2012.5.18)
【手続補正１】
【補正対象書類名】実用新案登録請求の範囲
【補正対象項目名】全文
【補正方法】変更
【補正の内容】
【実用新案登録請求の範囲】
【請求項１】
通電性の高いワイヤー・鋼線を全周に通し、ワイヤー・鋼線とネット内の（＋）線通電ラインと連結し、ワイヤーはネットの上段に張る方式の防獣用電気ネット
【手続補正６】
【補正対象書類名】図面
【補正対象項目名】全図
【補正方法】変更
【補正の内容】
【図１】
0003178301.tif 000004